(57)【要約】【課題】非表示領域を最小化して表示品質を向上させ、またディスプレイパネルの一側面のみが外部に露出されて他の部分は内部に収納されて衝撃や破損からディスプレイパネルを保護することができる折り畳み式マルチディスプレイ装置を提供する。【解決手段】本発明の折り畳み式マルチディスプレイ装置は、各種の回路と中央処理装置が内部に装着されており、少なくとも二つに折り畳みできるように構成されたパネルハウジングと、前記パネルハウジングの内部に設けられるディスプレイパネルとを備えており、前記折られたパネルハウジングが広げられたとき、その広げられる動作によりディスプレイパネルの少なくとも一辺が互いに接する位置にあるようになることを特徴としている。【選択図】図３
2008134671.tif 000002
【特許請求の範囲】
【請求項１】
少なくとも二つのディスプレイパネルを収納するハウジングボディーと、
前記ディスプレイパネルを支持するために、接触境界部側のハウジングボディーの側壁を切断して設けられた支持部と、
前記支持部からハウジングボディーに内向する延長部と、
切断された前記側壁以外の他の側壁に付着された突出部と、
前記ハウジングボディーに配設されたディスプレイパネルの非表示領域を覆う上部カバーとを備えており、
前記ハウジングボディーと上部カバーで構成されたパネルハウジングを少なくとも二つに構成して広げられたとき、ディスプレイが互いに接するときに、前記ハウジングボディー側壁を切断した部分を通じてディスプレイが互いに接し、
前記パネルハウジングが折られたり広げられたりして折り畳めるように結合支持する連結手段をさらに含む折り畳み式マルチディスプレイ装置であって、
前記ハウジングボディーの上部に‘⊂’形態のカバーをさらに含んで前記ディスプレイパネルの縁を覆って保護し、
前記パネルハウジングを広げた場合に、前記ディスプレイパネルの側面をカバーするカバー手段を前記パネルハウジングの側面にさらに備えることを特徴とする
折り畳み式マルチディスプレイ装置。
【請求項２】
前記連結手段はパネルハウジングの回転中心に設けられたヒンジである請求項１記載の折り畳み式マルチディスプレイ装置。
【請求項３】
前記支持部は、ディスプレイパネルを置くことができるように、ハウジングボディーの他の側壁に設けられた突出部である請求項１記載の折り畳み式マルチディスプレイ装置。
【請求項４】
前記ディスプレイパネルは、シャーシーにより駆動回路基板またはバックライトとともに組み立てられ、前記シャーシーはパネルアセンブリの離脱および移動を防止する固定部材を含む請求項１記載の折り畳み式マルチディスプレイ装置。
【請求項５】
金属材またはプラスティックを使用してディスプレイパネルの継目部の側壁を保護する請求項１記載の折り畳み式マルチディスプレイ装置。
【発明の詳細な説明】
【技術分野】
【０００１】
本発明は複数のディスプレイパネルを連結してマルチディスプレイ装置を一つの大画面に具現化する場合において、広げた場合にはディスプレイパネル境界の非表示領域を最小化し、折り畳んだ場合には外部に露出されるディスプレイパネルの側壁を支持および保護するのに適した、折り畳み式マルチディスプレイ装置に関する。
【背景技術】
【０００２】
マルチディスプレイ装置は初期には多数のブラウン管を用いて大画面を実現していた。最近になって、携帯機器および事務所の狭小な空間を効率的に利用し、また大容量の画面を実現するために平板ディスプレイパネルが用いられている。
【０００３】
平板ディスプレイとしては、ＬＣＤ（liquid crystal display）、ＴＦＴ（thin film transistor）−ＬＣＤ、ＦＥＤ（field emission display）、ＰＤＰ（plasma display panel）、ＥＬ（electro luminescent）ディスプレイおよび電子紙（electric paper）などが用いられる。このようなディスプレイパネルを大画面で製造する場合、技術的および経済的に難しさが多いので、マルチシステムを構成するのが効率的である。
【０００４】
とくに、近年になって移動電話、ラップトップコンピューター（ノートブックコンピューター）およびＰＤＡ（personal digital assistance）などのような携帯用電子製品の活用度が徐々に増大しており、それに伴って平板ディスプレイパネルも軽薄短小化する傾向にある。
【０００５】
平板ディスプレイパネルの軽薄短小化を実現するために、最近ではディスプレイパネルを折り畳み式にして前記パネルを広げるとパネルの内側に設けられた二つのディスプレイが一つの大画面を構成することが試みられている。このような折り畳み式平板ディスプレイは両パネルを広げるとき、ディスプレイ部が密着して画面が拡大されるという効果がある。
【０００６】
前記折り畳み式平板ディスプレイ装置はディスプレイパネルの境界部に透明な保護フィルムを付着して連続的に画面を具現化することができる。しかしながら、パネルを折った状態では、外部にディスプレイの側面が完全に現れて視覚的によくないのみならず、折り畳む動作と広げる動作が反復されて接着力が弱くなるとディスプレイの密着部に異物が浸透する可能性がある。
【０００７】
また、パネルを広げる場合、一度にディスプレイ側面が互いに相接する構造になることができないので、このための付加的な構成部品を携帯用表示装置に備えたり、ディスプレイを広げるとき、ディスプレイを互いに相接するようにする追加の構成ないし動作が必要になるという問題を有している。
【発明の開示】
【発明が解決しようとする課題】
【０００８】
本発明は、前記従来技術の問題を解決するためのものであり、非表示領域を最小化して表示品質を向上させ、またディスプレイパネルの一側面のみが外部に露出されて他の部分は内部に収納されて衝撃や破損からディスプレイパネルを保護することができる折り畳み式マルチディスプレイ装置を提供することを目的とする。
【０００９】
前記目的を実現するために、本発明では少なくとも二つのディスプレイパネルを収納するハウジングボディーと、前記ディスプレイパネルを支持するために、接触境界部側のハウジングボディーの側壁を切断して設けられた支持部と、前記ハウジングボディーに配設された、ディスプレイパネルの非表示領域を覆う上部カバーと、前記二つのディスプレイパネルが広げられた状態でその一辺が互いに接するように形成された開口を含むパネルハウジングとからなる折り畳み式マルチディスプレイ装置が提供される。
【課題を解決するための手段】
【００１０】
本発明の折り畳み式マルチディスプレイ装置は、前記パネルハウジングが折られたり、少なくとも１８０°で広げられたりして折り畳めるように結合支持する連結手段をさらに含む。
【００１１】
そして、前記連結手段はパネルハウジングの回転中心にヒンジを設けて構成することができる。
【００１２】
前記支持部はハウジングボディーの他の側壁に設けられた突出部であり、ディスプレイパネルを置くことができるように設けられる。前記ハウジングボディーは駆動回路基板および／またはバックライトをさらに含む。前記支持部は内向きに形成された延長部を含む。また、前記ディスプレイパネルとハウジングボディーの接触境界部側の側壁には保護フィルムを設ける。
【００１３】
望ましくは、前記ディスプレイパネルはシャーシーにより駆動回路基板またはバックライトとともに組み立てられ、前記シャーシーはパネルアセンブリの離脱および移動を防止する固定部材とパネルアセンブリを一定の高さで維持する支持部材をさらに含む。また、前記ディスプレイパネルは板状部材からなるシャーシーの上部に設けることができる。
【００１４】
また、本発明の他の実施形態として、各種の回路と中央処理装置が内部に装着されており、少なくとも二つ以上に折り畳みできるように構成されたパネルハウジングと、前記パネルハウジングの側壁に装着されたディスプレイパネルとを備えており、前記ディスプレイパネルは、パネルハウジングを折るとき、当該パネルハウジングの側壁の延長線上にディスプレイパネルの接触境界部の側壁が一致するように設けられる、折り畳み式マルチディスプレイ装置を提供する。
【００１５】
前記ディスプレイパネルの回転中心から第１ディスプレイパネルまでの距離と第２ディスプレイパネルまでの距離は同一である。前記ディスプレイパネルの上に入力装置が備えられる場合、前記回転中心からディスプレイパネルまでの距離は回転中心から入力装置までの距離である。前記ディスプレイパネルに保護フィルムが備えられる場合、前記回転中心からディスプレイパネルまでの距離は回転中心から保護フィルムまでの距離である。
【００１６】
そして、前記パネルハウジングの側壁に支持部が設けられ、該支持部の上にディスプレイパネルを装着する。前記ディスプレイパネルはシャーシーによってパネルハウジングに装着され、前記シャーシーはパネルアセンブリを一体として囲む。
【００１７】
一方、前記シャーシーはディスプレイパネルの接触境界部の側壁も囲むことができる。また、前記シャーシーはディスプレイパネルの接触境界部ではディスプレイパネルの側壁のみを囲むことができる。
【００１８】
また、前記シャーシーに固定部材が備わっており、該固定部材はパネルハウジングの固定部材の掛り手段により支持され、ディスプレイパネルの接触境界部の側壁と固定部材のあいだの距離はパネルハウジングの接触境界部の側壁と固定部材の掛り手段のあいだの距離と同一である。
【００１９】
本発明の折り畳み式マルチディスプレイ装置は、前記パネルハウジングの側壁にカバー手段を設け、前記パネルハウジングの接触境界部の側壁にカバー手段を固定したり収納したりするための長溝が設けられている。
【００２０】
また、本発明では、ディスプレイパネルの画面と接触境界部の側壁を同時にカバーする保護フィルムをさらに設ける。
【発明の効果】
【００２１】
本発明の折り畳み式マルチディスプレイ装置は複数のディスプレイパネルを連結して一つの大画面に構成することができる。マルチディスプレイ装置を広げる場合には、ディスプレイパネルの一辺が互いに接して非表示領域を最小にする。とくに、折る場合には、ディスプレイパネルの一側壁のみが外部に露出されて他の部分は内部に収納されて支持部および固定部材により安定して支持されるので、外部の衝撃とか破損からディスプレイパネルを保護することができる。
【発明を実施するための最良の形態】
【００２２】
以下、添付図面を参照しつつ本発明の望ましい実施の形態を説明する。
【００２３】
本発明は少なくとも二つのディスプレイパネルを相互に接するように連結するマルチディスプレイ装置を提供する。ディスプレイパネルとしてはＬＣＤ、ＦＥＤ、ＰＤＰおよびＥＬディスプレイパネルなどを用いることができる。
【００２４】
図１〜５は本発明の折り畳み式マルチディスプレイ装置が広げられたり、折られたりした状態の詳細構造を示している。
【００２５】
図示したように、本発明の折り畳み式マルチディスプレイ装置は、外観的に二つのディスプレイパネル２、４を両側に分割して各々収納するパネルハウジング２０、４０と、前記パネルハウジング２０、４０を完全に平行な状態に折ったり、少なくとも１８０°に広げたりして折り畳み得るように結合支持する連結手段６とからなる。
【００２６】
前記連結手段６はパネルハウジング２０、４０の回転中心に設置されるヒンジで構成することができる。
【００２７】
ディスプレイパネル２、４は少なくとも一辺が相互に接するようにパネルハウジング２０、４０の内部に収納され、このために前記パネルハウジング２０、４０は接触境界部の側壁の一部を開放して開口８を設けている。前記開口８はパネルハウジング２０、４０を折り畳むとき、ディスプレイパネル２、４の一辺とともに外部に露出される。
【００２８】
パネルハウジングの構造をより詳しく説明すると、パネルハウジング２０はハウジングボディー２２とカバー２４とからなる。ディスプレイパネル２はハウジングボディー２２の内部に収納される。前記ハウジングボディー２２には、前記ディスプレイパネル２を支持して一定の高さに維持するために支持部１０が備えられている。前記支持部１０はディスプレイパネル２を支持するために接触境界部側のハウジングボディー２２の側壁２０ａを切断して所定高さの段差を形成する構造にすることができる。また、他の側壁２２ｂに突出部１０ａを付着してディスプレイパネル２を置くようにすることができる。このとき、前記ハウジングボディー２２の一つの側壁２０ａを切断して形成される支持部１０は、図５に示した他の実施の形態のとおり、内向するように延長部１０ｂをさらに形成してディスプレイパネル２をより安定的に支持することができる。
【００２９】
本発明において、ディスプレイパネル２は駆動回路２ａもしくは駆動回路基板および／またはバックライトを備えて構成される。そしてディスプレイパネルの主回路基板２ｃはディスプレイパネル２の下部に配置され、これを支持するために前記ハウジングボディー２２には第２支持部１２が設けられている。
【００３０】
前記ディスプレイパネル２の上部にはカバー２４が設けられる。前記カバー２４は前記支持部１０に設けられたディスプレイパネル２の非表示領域を覆う。また、前記カバー２４は、前記二つのディスプレイパネル２、４を広げた状態で一辺が互いに接するようにするために一側辺が開放して形成されている。このような開放構造は開口８を構成する。
【００３１】
一方、本発明では、ディスプレイパネル２、４とハウジングボディー２２の接触境界部側の側壁２０ａの外側面に保護フィルム１４をさらに設けている。前記保護フィルム１４はディスプレイパネル２、４が互いに接触するとき、その側壁を保護し、同時に外部から侵入する異物や湿気などを遮断する。
【００３２】
このように構成された本発明のマルチディスプレイ装置の折り畳み動作をより具体的に説明するとつぎのとおりである。
【００３３】
マルチディスプレイ装置は、図２に示したように、パネルハウジング２０、４０およびその内部に収納されたディスプレイパネル２、４が平行に折られた状態で保管および移動されるので、取り扱いが便利である。前記パネルハウジング２０、４０はディスプレイパネル２、４の一側壁の外面のみが外部に露出されるようにし、残りを内部に収納して支持および保護する。
【００３４】
マルチディスプレイ装置を使用するためには、図１、図４および図５に示されるように装置を広げる。このとき、本発明のパネルハウジング２０、４０は、支持部１０および第２支持部１２によりディスプレイパネル２、４を安定的に支持するので、移動や離脱、および外部衝撃からこれらを保護することができる。
【００３５】
図６は本発明の他の実施の形態を示している。
【００３６】
ディスプレイパネル２、４は駆動ＩＣまたは駆動回路基板およびバックライトとともに組み立てられ、シャーシー１６によって支持されてパネルアセンブリ２６、４６を構成する。
【００３７】
先に説明したように、前記パネルアセンブリ２６、４６は前記パネルハウジング２０、４０の内部に収納されて支持部１０により支持される。また、この実施形態では前記支持部１０に代えて前記シャーシー１６から下向に形成される支持部材１６ａを形成すると構造的に有利である。
【００３８】
また、前記シャーシー１６は折り畳み動作時、パネルアセンブリ２６、４６がハウジングボディー２０、４０から離脱および移動することを防止するために、固定部材１６ｂを備えて構成される。前記固定部材１６ｂは図示したように、シャーシー１６から羽の形態に突出して形成されたり、または図示していないが、下向に突出した形態に構成することができる。
【００３９】
図７はパネルアセンブリを構成するシャーシーの他の実施の形態を示す。
【００４０】
図示されるように、シャーシー１６はほぼ‘⊂’字形態の板状部材とからなり、その上部にはディスプレイパネル２、４と駆動ＩＣもしくは駆動回路基板および／またはバックライトが置かれて結合されるように組み立てられる。このとき、シャーシー１６と他の部品の結合手段としては接着剤を用いることができる。前記シャーシー１６には支持部材１６ａと固定部材１６ｂを形成するのが好ましい。
【００４１】
図８はパネルハウジングにディスプレイパネルが装着されて組み立てられた状態を示す図である。
【００４２】
図に示されたとおり、パネルハウジング２０はハウジングボディー２２とカバー２４とからなるが、以下、説明の便宜上、ハウジングボディーとパネルハウジングをともにパネルハウジングと称する。
【００４３】
パネルハウジング２０はその側壁２０ａを切断して開口を形成し、切断された側壁の延長線の上にディスプレイパネル２の側壁が一致した状態で露出されるように構成する。また、パネルハウジング２０の外面に‘⊂’字形態のカバー２４を設けてディスプレイパネル２の端を覆って保護する。図示していないが、他の対のパネルハウジング４０とディスプレイパネル４も同一の構造で形成する。
【００４４】
図９はパネルハウジング２０、４０を折った状態の断面構造を示す。
【００４５】
図９に示したように、パネルハウジング２０、４０の側壁２０ａ、４０ａを切断して開口８を形成し、切断された側壁２０ａ、４０ａの延長線の上にディスプレイパネル２、４の側壁が一致するように設ける。表示装置が折られる場合にはカバー２４、４４によりディスプレイパネルの間隙が互いに離れるように、すなわち、ディスプレイパネル２、４が互いに分離されるように構成される。一方、パネルハウジング２０、４０の内部、すなわちディスプレイパネル２、４の内側には携帯用表示装置を構成する各種回路と中央処理装置または送受信装置２５、４５が装着されている。
【００４６】
図９において、表示装置が折られる場合、二つのディスプレイパネル２、４間の間隙をどのぐらいにするのかはつぎの式で得ることができる。
【００４７】
Ｈ−Ｌ＝Ｈ１−Ｌ１．．．．．（１）
ここに、Ｈは第１パネルハウジング２０の側壁２０ａの端部から回転中心までの距離、Ｌは第１ディスプレイパネルの厚さ、Ｈ１は第２パネルハウジング４０の側壁４０ａ断部から回転中心までの距離、Ｌ１は第２ディスプレイパネルの厚さである。
【００４８】
ここで、ディスプレイパネルの厚さはパネルアセンブリの厚さを意味し、通常、ディスプレイパネル駆動回路とバックライトなどをともに備えた状態を意味することもできる。
【００４９】
前記式で第１パネルハウジングの側壁２０ａの端部から回転中心までの距離Ｈと第１ディスプレイパネルの厚さＬとの差は、第２パネルハウジングの側壁４０ａの端部から回転中心までの距離Ｈ１と第２ディスプレイパネルの厚さＬ１との差と同一である。すなわち、回転中心から第１ディスプレイパネルとの一直線上の距離Ｈ−Ｌは回転中心から第２ディスプレイパネルとの一直線上の距離Ｈ１−Ｌ１と同一である。一方、本発明において距離が同一であるという意味は、通常、目で見たときに同一であるという意味であるので、１ｍｍ以内の誤差レベルであると理解することができる。
【００５０】
このように、本発明ではディスプレイパネルが折られるとき、回転中心から第１ディスプレイパネル２と第２ディスプレイパネル４が同一の距離だけ離れるように切断されたパネルハウジング２０、４０の側壁２０ａ、４０ａにディスプレイパネル２、４が装着される。したがって、二つのディスプレイパネル２、４を広げると二つのディスプレイパネルが互いに接し、表示装置が広げられると二つのディスプレイパネル２、４の表面の高さが図１のように互いに同一になる。また、ディスプレイパネルの上にタッチパネルのような入力装置とか保護フィルムが装着される場合には、回転中心から入力装置または保護フィルムまでの距離が同一になる。前記実施の形態では、開口を形成するとき、側壁を切断しているが、本発明はこれに限定されるものではなく、たとえば、側壁の開口を予め金型上で作って射出によって成型することができる。
【００５１】
図１０ａ〜図１０ｄは図８をＡ方向から観察したときの構造を示している。
【００５２】
図１０ａはパネルハウジング２０、４０の側壁２０ａ、４０ａを示す図であり、パネルハウジング２０、４０の側壁を切断して開口８が形成され、側壁２０ａ、４０ａの端部にディスプレイパネル２、４が置かれて装着されるものである。
【００５３】
図１０ｂは側壁２０ａ、４０ａを切断する他の方法を示す図であり、側壁の両端の端部２０ｂ、４０ｂにディスプレイパネル２、４が置かれて装着される。
【００５４】
また、図１０ｃと１０ｄに示したとおり、パネルハウジング２０、４０の側壁として支持部２０ｃを設け、支持部２０ｃの上にディスプレイパネル２、４を装着することもできる。すなわち、パネルハウジング２０、４０の側壁を充分に切断したのちに支持部２０ｃを付着してディスプレイパネルを置くものである。
【００５５】
図１１はシャーシーの実施例を示す図である。
【００５６】
通常、ディスプレイパネル２、４は携帯用表示装置内にパネルアセンブリとして装着される。パネルアセンブリはディスプレイパネル２とディスプレイパネル駆動回路２ａおよびバックライトシステムからなっている。便宜上、バックライトシステムは図示を省略した。また、パネルアセンブリを固定するためにシャーシー１６内に各々のディスプレイパネル２と駆動回路２ａおよびバックライトシステムを装着する。
【００５７】
ディスプレイパネル２、４がシャーシー１６を通じてパネルハウジング２０、４０に装着されるとき、パネルハウジングの側壁２０ａ、４０ａに開口８が形成されるので、外部の衝撃などによりディスプレイパネル２、４が開口８を通じてパネルハウジング２０、４０の外に離脱することがある。したがって、シャーシーに固定部材１６ｂを設け、前記固定部材１６ｂを通じてシャーシー１６がパネルハウジング２０、４０に支持され、ディスプレイパネル２、４もパネルハウジングに堅く固定されるようにする。ここで、固定部材１６ｂはシャーシーから突出させてパネルハウジング２０、４０の内部や溝などに固定されるものである。固定部材１６ｂは突出した形態であるので、螺子などの形状にすることもできる。
【００５８】
図１２はシャーシーにパネルアセンブリが装着された状態の断面図である。
【００５９】
図１２に示すとおり、シャーシー１６はディスプレイパネル駆動回路２ａ、バックライトシステム２ｂなどパネルアセンブリ全体を一体形構造として囲む。また、ディスプレイパネル２、４の接触境界部２′を保護するために接触境界部２′も一体に囲み、接触境界部の間隙を最小にするためにディスプレイパネル２の接触境界部２′の側面のみを囲んでいる。ここで、一体形構造というのは一つの体を意味することではなく、シャーシーは本体と蓋に分離することもできる。たとえば、シャーシーの本体にパネルアセンブリを装着し、螺子とか接着剤などの結合手段を通じてシャーシーの蓋をシャーシーの本体と結合することができる。前記シャーシーの材質としてはプラスチックまた金属材料を用いることができる。
【００６０】
図１３はパネルアセンブリ２６がパネルハウジングに装着される構造を示す図である。
【００６１】
図１３に示すとおり、ディスプレイパネル２、４などを装着したシャーシー１６が固定部材１６ｂを通じてパネルハウジング２０、４０に堅く装着され、その上には‘⊂’字形態のカバー２４が設けられ、シャーシー１６とディスプレイパネル２、４を保護する。接触境界部はカバー２４で囲まれないので、接触境界部の間隙は最小になる。
【００６２】
一方、ディスプレイパネルを保護するために前側の画面と接触境界部の側壁をカバーする保護フィルム１４が設けられる。前記保護フィルム１４はポリカーボネート、ポリアクリレート、またはポリエチレンテレフタレート（ＰＥＴ）などの透明プラスチックを用いてフィルムの形態に製造したものである。前記保護フィルム１４はほぼ‘┐’字状に曲がって画面と接触境界部の側壁を同時にカバーする。とくにパネルハウジング２０、４０が折られた場合、前記開口８を通じて外部に露出されるディスプレイパネル２、４の側壁を覆って保護し、ディスプレイパネル２、４間の接触および異物や湿気の侵入を遮断する。
【００６３】
前記保護フィルム１４は、ディスプレイパネル２、４の上部に入力装置１１を設ける場合、その表面と側面をカバーするように接着剤を用いて付着される。また、前記保護部材１４は‘⊂’字状に形成してシャーシー１６を囲むように形成することもできる。これは保護部材の接着性を向上させるためのものである。前記入力装置１１としてはタッチパネルが用いられる。
【００６４】
図１４はシャーシーがパネルハウジングに固定された状態の平面図である。
【００６５】
図１４に示したとおり、パネルハウジング２０、４０の一側壁、すなわち、接触境界部は開放されて開口８が形成されており、衝撃などの理由でパネルアセンブリ２６、４６が前記開口８を通じて離脱することがある。したがって、本発明ではシャーシー１６から突出された固定部材を通じてパネルアセンブリ２６、４６がパネルハウジング２０、４０に堅く固定されるようにする。また、前記固定部材はパネルハウジング２０、４０から突出させて形成し、シャーシー１６に結合させることもできる。
【００６６】
図１４において、Ｋはディスプレイパネル２、４の接触境界部の側壁と固定部材１６ｂのあいだの距離を示し、この距離は固定部材１６ｂを固定するために備えられた固定部材掛り手段２０ｄ、４０ｄとパネルハウジングの終端までの距離にもなる。
【００６７】
このように、シャーシー１６を固定部材１６ｂを通じてパネルハウジングに固定すると、接触境界部のディスプレイパネル２、４の側壁がパネルハウジングの側壁２０ａ、４０ａと一つの平面上に位置する構造になる。すなわち、固定部材１６ｂを通じてディスプレイパネルがパネルハウジング側壁２０ａ、４０ａと一つの平面上に置かれるように、固定部材１６ｂの位置がシャーシー１６において定められる。
【００６８】
図１５はパネルハウジングにカバー手段を装着するための構造図である。
【００６９】
パネルハウジング２０、４０を折る場合、ディスプレイパネル２、４はパネルハウジング２０、４０の内部に収納される。しかしながら、パネルハウジング側壁の開口を通じてディスプレイパネル２、４の側壁が露出される。本実施例ではこのような問題を防止するためにカバー手段１０を設け、露出されたディスプレイパネル２、４の側壁を保護する。
【００７０】
このとき、カバー手段１０を固定したりパネルハウジング２０、４０の内部に収納されるようにするために、パネルハウジングの側壁に長溝６０を形成する。
【図面の簡単な説明】
【００７１】
【図１】本発明の折り畳み式マルチディスプレイ装置を広げた状態の斜視図である。
【図２】図１に示される折り畳み式マルチディスプレイ装置を折った状態の斜視図である。
【図３】本発明の折り畳み式マルチディスプレイ装置を構成するパネルハウジングの分解斜視図である。
【図４】本発明の折り畳み式マルチディスプレイ装置を広げた状態の断面図である。
【図５】本発明における支持部の他の例を示す断面図である。
【図６】本発明の折り畳み式マルチディスプレイ装置の他の実施の形態を示す分解斜視図である。
【図７】本発明の折り畳み式マルチディスプレイ装置の他の実施の形態を示す分解斜視図である。
【図８】パネルハウジングにディスプレイパネルが装着されて組み合わされた状態を示す図である。
【図９】図２の断面構造を示す断面図である。
【図１０ａ】図８をＡ方向から観察した図である。
【図１０ｂ】図８をＡ方向から観察した図である。
【図１０ｃ】図８をＡ方向から観察した図である。
【図１０ｄ】図８をＡ方向から観察した図である。
【図１１】固定部材のみ備わったシャーシーの例を示す図である。
【図１２】シャーシーにパネルアセンブリが装着された断面図である。
【図１３】図１２のシャーシーがパネルハウジングに装着される構造を示す図である。
【図１４】シャーシーがパネルハウジングに固定された状態の平面図である。
【図１５】パネルハウジングにカバー手段を装着するための構造図である。
【図１】
2008134671.tif 000003
【図２】
2008134671.tif 000004
【図３】
2008134671.tif 000005
【図４】
2008134671.tif 000006
【図５】
2008134671.tif 000007
【図６】
2008134671.tif 000008
【図７】
2008134671.tif 000009
【図８】
2008134671.tif 000010
【図９】
2008134671.tif 000011
【図１０ａ】
2008134671.tif 000012
【図１０ｂ】
2008134671.tif 000013
【図１０ｃ】
2008134671.tif 000014
【図１０ｄ】
2008134671.tif 000015
【図１１】
2008134671.tif 000016
【図１２】
2008134671.tif 000017
【図１３】
2008134671.tif 000018
【図１４】
2008134671.tif 000019
【図１５】
2008134671.tif 000020